(57)【要約】【課題】係員が設備異常の発生を携帯電話で容易に知得できる設備異常通知方式を得る。【解決手段】設備異常の内容を示す異常メッセージが記録された異常メッセージファイル１４と、発音態様が異なる複数の着信音が記録された着信音ファイル１５と、設備異常と着信音とを対応させた異常対応着信音ファイル１６とを監視装置３に備え、設備異常が検出されると対応する異常メッセージを異常メッセージファイル１４から読み取ると共に、この読み取られた異常メッセージに対応する着信音を異常メッセージに貼着して携帯電話６へ送信し、携帯電話６は、異常メッセージを受信すると貼着された発音態様で着信音を発生させるようにしたものである。【選択図】        図１
2004153703.tif 000002
【特許請求の範囲】
【請求項１】
設備の動作状態を監視する監視装置が設備異常を検出すると、上記設備異常を携帯電話へメールで通知する設備異常通知方式において、上記設備異常の内容を示す異常メッセージが記録された異常メッセージファイルと、発音態様が異なる複数の着信音が記録された着信音ファイルと、上記設備異常と上記着信音とを対応させた異常対応着信音ファイルとを上記監視装置に備え、上記設備異常が検出されると上記異常メッセージを上記異常メッセージファイルから読み取ると共に、この読み取られた異常メッセージに対応する上記着信音の上記発音態様を上記異常対応着信音ファイルを介して上記着信音ファイルから読み取って上記異常メッセージに貼着して上記携帯電話へ送信し、上記携帯電話は、上記異常メッセージを受信すると貼着された上記発音態様で上記着信音を発生させるようにした設備異常通知方式。
【請求項２】
異常対応着信音ファイルは、設備異常の種別に応じて異なる着信音が対応するものとした請求項１に記載の設備異常通知方式。
【請求項３】
異常対応着信音ファイルは、各設備をグループに分け、同一グループに属する設備の異常には同一の着信音が対応するものとした請求項１に記載の設備異常通知方式。
【発明の詳細な説明】
【０００１】
【発明の属する技術分野】
この発明は、設備の動作状態を監視する監視装置が設備異常を検出すると、この設備異常を携帯電話へメールで通知する設備異常通知方式に係るものである。
【０００２】
【従来の技術】
従来の携帯電話には、文字列データに加えてメロディデータも入力し、その双方を他の携帯電話へ送信することができるようになっている。このようにメロディデータを文字列データに貼付してメールを送信することにより、例えば、誕生祝いの文字列データの意味内容に一層の情感を込めることができる（例えば、特許文献１参照。）。
【０００３】
ところで、設備を監視する監視装置によって設備異常が検出され、その異常を監視装置から係員の携帯電話へ通報する場合、従来は文字列データのみからなる異常メッセージを送信していた。
図１０から図１２は、従来の設備異常の通信方式を示す。即ち、図１０において、設備１−１〜１−ｎには、それぞれセンサ２−１〜２−ｎが設けられており、信号線１９を介して監視装置３と接続されている。センサ２−１〜２−ｎによって設備異常が検出されると、監視装置３から電話回線網４及び基地局５を介して係員の携帯電話６へ送信される。
【０００４】
次に図１１及び図１２によって動作を述べる。
図１１に従って監視装置３における監視動作及び設備の異常メッセージの送信について述べる。手順Ｓ４１で、変数ｉを１に設定し、設備１−１から設備１−ｎまで異常発生の有無を調べる。まず、手順Ｓ４２で、監視装置３から設備１−（ｉ）へ向けて点検指令を発し、センサ２−（ｉ）によって検出された異常コードを読み取る。手順Ｓ４３で、異常コードが異常を示すものである場合は、手順Ｓ４４へ移り、異常コードに対応する異常メッセージを読み取る。手順Ｓ４５で、異常メッセージを含む送信メッセージのフレームを構成し、手順Ｓ４６で係員の携帯電話６へ向けて送信する。
手順Ｓ４３で、異常コードが設備の正常を示すものである場合は、手順Ｓ４３から手順Ｓ４７へ移り、最後の設備１−ｎまで調べられたかチェックする。まだ最後ではない場合は、手順Ｓ４２へ戻り、以下同様の処理を行う。最後の設備１−ｎまで調べた場合は、処理を終了する。
【０００５】
図１２に従って携帯電話６の動作を述べる。手順Ｓ５１で、メールが着信し、着信音がスピーカ２８から送出される。手順Ｓ５２で、タイトルを表示部２９に表示させて、係員に設備異常のメッセージである旨を知らせる。手順Ｓ５３で、メッセージの内容である設置場所、設備名、点検時刻及び異常メッセージを、表示部２９に表示する。
係員は、表示部２９の表示によって設備異常の発生を知得することができる。
【０００６】
【特許文献１】
特開平１１−１３６３９３号公報（段落番号５７、図５及び段落番号６１、図６）
【０００７】
【発明が解決しようとする課題】
従来の設備異常通知方式は上記のとおり、設備に異常が発生するとメッセージ情報によって携帯電話で係員に通知していた。携帯電話にはメッセージに加えてメロディデータも送信することが可能であるが、主として文字数の限られるメッセージの意味内容に情感を添えるものであった。従って、設備異常を内容とするメッセージにはメロディデータは馴染まない。このため、設備異常のメールは一般のメールと同様の形態で着信されていた。即ち、受信されたメールは一旦保存され、その一覧を表示させた後、その中から逐一選択してメールを開いて読むことにより、初めて係員は設備異常を知得することができた。
このため、設備異常のメールが着信してから係員がその設備異常を知得するまで時間がかかり、特にその設備異常に対する対策が緊急を要する場合には適さない、という問題があった。
【０００８】
この発明は、上記問題点を解決するためになされたものであり、係員が異常の発生を携帯電話で容易に知得できる設備異常通知方式を得ることを目的とするものである。
また、異常の種別を容易に知得できる設備異常通知方式を得ることを目的とするものである。
更に、異常の発生した設備を容易に知得できる設備異常通知方式を得ることを目的とするものである。
【０００９】
【課題を解決するための手段】
この発明に係る設備異常通知方式は、設備の動作状態を監視する監視装置が設備異常を検出すると、携帯電話へメールで通知する設備異常通知方式において、設備異常の内容を示す異常メッセージが記録された異常メッセージファイルと、発音態様が異なる複数の着信音が記録された着信音ファイルと、設備異常と着信音とを対応させた異常対応着信音ファイルとを監視装置に備え、設備異常が検出されると対応する異常メッセージを異常メッセージファイルから読み取ると共に、この読み取られた異常メッセージに対応する着信音の発音態様を異常対応着信音ファイルを介して着信音ファイルから読み取って異常メッセージに貼着して携帯電話へ送信し、携帯電話は、異常メッセージを受信すると貼着された発音態様で着信音を発生させるようにしたものである。
【００１０】
【発明の実施の形態】
実施の形態１．
図１から図８は、この発明の実施の形態１を示す。
図１において、設備１−１〜１−ｎ（以下、総称する場合は符号を１とする。）には、それぞれ異常を検出すると異常コードとして出力するセンサ２−１〜２−ｎ（以下、総称する場合は符号を２とする。）が設けられている。センサ２は信号線１９を介して監視装置３と接続されている。センサ２によって設備異常が検出されると、監視装置３から電話回線網４及び基地局５を介して係員の携帯電話６へ送信される。
【００１１】
監視装置３は、ＣＰＵ１０と、プログラムが記録されたＲＯＭ１１と、一時的なデータが記録されるＲＡＭ１２と、センサ２の検出結果が格納される監視データファイル１３（詳細は図５による。）と、設備異常の内容を示す異常メッセージが記録された異常メッセージファイル１４（詳細は図２による。）と、発音態様が異なる複数の着信音が記録された着信音ファイル１５（詳細は図３による。）と、設備異常と着信音とを対応させた異常対応着信音ファイル１６（詳細は図４による。）と、設備名と異常コードからなるシリアル信号を信号線１９を介して各設備１から受信する入出力回路１７と、電話回線網４へ異常メッセージを送信する通信制御部１８とからなる。
【００１２】
携帯電話６は、ＣＰＵ２１と、プログラムが記録されたＲＯＭ２２と、一時的なデータが記録されるＲＡＭ２３と、基地局５からの信号を受信するアンテナ２４と、このアンテナ２４に接続された送受信部２５と、受信されたデータを記録する受信データメモリ２６と、監視装置３から送信された着信音に対応した態様の音を発生する音源２７と、この音源２７によって発生した音によって鳴動するスピーカ２８と、送信された異常メッセージを表示する表示部２９と、操作部３０と、通話制御部３１と、この通話制御部３１に接続されたマイクロホン３２とイヤホン３３とからなる。
【００１３】
図２は異常メッセージファイル１４の詳細を示す。異常コードＡＣ０、ＡＣ１、ＡＣ２〜ＡＣｍ（以下、総称する場合は符号をＡＣとする。）と、この異常コードＡＣに対応する異常メッセージとが記録されている。ここで、異常コードＡＣ０は、設備１が正常であることを示し、異常コードＡＣ１〜ＡＣｍは異常であることを示す。
【００１４】
図３は着信音ファイル１５の詳細を示す。着信音コードＳＣ０、ＳＣ１、ＳＣ２及びＳＣ３（以下、総称する場合は符号をＳＣとする。）と、この着信音コードＳＣに対応する発信音の発音態様、即ち、音階と発音時間と停止時間とが記録されている。
ここで、着信音コードＳＣ０は、設備１が正常であることに対応して着信音は無音である。着信音コードＳＣ１は軽微異常に対応して、所定の音階で長周期の断続音からなる着信音を示すデータが記録されている。着信音コードＳＣ２は通常異常に対応して、所定の音階で中周期の断続音からなる着信音を示すデータが記録されている。着信音コードＳＣ３は重大異常に対応して、所定の音階で短周期の断続音からなる着信音を示すデータが記録されている。
【００１５】
図４は異常対応着信音ファイル１６の詳細を示す。異常コードＡＣ０には着信音コードＳＣ０が対応し、異常コードＡＣ１には着信音コードＳＣ３が対応する。以下、設備異常を軽微異常、通常異常及び重大異常に種類分けし、それぞれ着信音コードＳＣを対応させる。
【００１６】
図５は監視データファイル１６の詳細を示す。点検指令の出された設備１−（ｉ）と、点検時刻ＴＭと（ｉ）、点検結果ＣＨ（ｉ）と、係員の携帯電話６へ送信したか否かを記録した送信状況ＣＡ（ｉ）とが記録される。
【００１７】
図６は監視装置３から携帯電話６へ送信される信号の送信フレーム３６の構成を示す。即ち、相手先の情報であるヘッダと、設備の設置場所と、設備名と、設備異常が検出された点検指令の発せられた点検時刻と、発生した異常の内容を示す異常メッセージと、その異常に対応付けられた発音態様が特定された着信音とからなる。
【００１８】
図７及び図８に従って動作を説明する。
図７は監視装置３による監視動作と異常が発生した場合の送信動作を示す。手順Ｓ１１で変数ｉを１に初期設定する。手順Ｓ１２で設備１−（ｉ）を指定し、入出力回路１７及び信号線１９を介して点検を指令する。点検指令を受けた設備１−（ｉ）のセンサ２−（ｉ）から異常コードＡＣを読み取る。
手順Ｓ１３で点検指令を受けた設備１−（ｉ）と点検時刻ＴＭ（ｉ）と点検結果ＣＨ（ｉ）を監視データファイル１３へ記録する。手順Ｓ１４及び手順Ｓ１５を介して上記処理を各設備１について行い、最後の設備１−（ｎ）まで点検した場合は手順Ｓ１４から手順Ｓ１６へ移る。
【００１９】
手順Ｓ１６で変数ｉを１に再設定し、監視データファイル１３の点検結果ＣＨ（ｉ）に記録されている異常コードＡＣを読み取る。手順Ｓ１８で、異常コードＡＣが設備１−（ｉ）の正常を示すＡＣ０である場合は、監視データファイル１３の送信情況ＣＡ（ｉ）に「未」と記録する。従って、異常であった設備が修復されて正常になった場合は、後述の「済」から「未」に書きかえられる。手順Ｓ２０及び手順Ｓ２１を介して順次点検結果ＣＨ（ｉ）に記録されている異常コードＡＣを調べる。手順Ｓ２０で最後の設備１−（ｎ）まで処理した場合は終了する。
【００２０】
手順Ｓ１８で、異常コードＡＣが設備１−（ｉ）の異常を示すものである場合は、手順Ｓ２２で、送信情況ＣＡ（ｉ）の内容を読み取る。手順Ｓ２３で、送信情況ＣＡ（ｉ）の内容を調べ、「済」の場合は手順Ｓ２０へ移り、その異常に伴う送信は行わない。従って、同じ異常に対して複数回送信を繰り返すことはない。手順Ｓ２３で送信情況ＣＡ（ｉ）の内容が「未」の場合は、手順Ｓ２４で異常コードＡＣに対応する異常メッセージを異常メッセージファイル１４から読み取る。手順Ｓ２５で、異常コードＡＣに対応する着信音コードＳＣを異常対応着信音ファイル１６から読み取る。手順Ｓ２６で、着信音コードＳＣに対応する着信音の発音態様を着信音ファイル１５から読み取る。手順Ｓ２７で、図６に示す送信フレーム３６を構成する。手順Ｓ２８で送信フレーム３６のメッセージを係員の携帯電話６へメール送信する。手順Ｓ２９で監視データファイル１３の送信情況ＣＡ（ｉ）に「済」を記録して手順Ｓ２０へ移る。手順Ｓ２０で最後の設備１−（ｎ）まで処理した場合は終了する。従って、複数の設備１で異常が発生している場合は、全て異常メッセージが送信される。
【００２１】
図８に従って携帯電話６によるメッセージの受信動作について説明する。
手順Ｓ３１で、受信したメールを受信データメモリ２６へ格納する。手順Ｓ３２で、受信データメモリ２６に着信音が記録されているか調べる。記録されている場合は、手順Ｓ３３で着信音をデコードし、手順Ｓ３４でスピーカ２８から所定の音階で断続音を発生させる。手順Ｓ３５で、異常メッセージの内容である設置場所名、設備名、点検時刻、異常メッセージ及び着信音が表示部２９に表示されて処理を終る。
手順Ｓ３２で、受信データメモリ２６に着信音が記録されていない場合は、手順Ｓ３６へ移り、通常のメール受信がなされて処理を終る。
【００２２】
上記実施の形態１によれば、設備異常のメッセージに着信音を添付してメールとして係員の携帯電話に送信し、係員の携帯電話がメールを受信したときに、着信音を鳴動させるようにしたので、係員は異常の発生を携帯電話で容易に知得することができる。
また、異常を軽微異常、通常異常及び重大異常に種類分けし、それぞれ異なる着信音コードＳＣを対応させたので、係員は異常の種別を容易に知得することができる。
更に、異常の種類と着信音の種類とは、事前に対応付けられているので、その対応は客観性を有する。このため、異常に対する係員の対応を均質化することができる。
【００２３】
実施の形態２．
上記実施の形態１では、異常の種別と発信音とを対応付けたが、この実施の形態２では、設備をグループ分けし、同一グループに属する設備の異常には同一の着信音を対応させるようにしたものである。
即ち、図４に示す異常対応着信音ファイル１６に替えて、図９に示す設備対応着信音ファイル４６を採用する。設備１−１及び１−２は重要性が低いので、着信音コードＳＣ１とし、設備１−３は着信音コードＳＣ２とし、設備１−ｎは着信音コードＳＣ３とする。即ち、設備１によって異常に対する対応を区別する。そして、図７において、手順Ｓ２５に替えて、設備対応着信音ファイル４６から異常の発生した設備１に対応する着信音コードＳＣを読み取る。以下手順Ｓ２７へ続く。
【００２４】
上記実施の形態２によっても、係員が異常の発生を携帯電話で容易に知得することができる。
特に、設備１をグループ分けし、グループによって異なる着信音コードＳＣを対応させたので、重要な設備が異常になった場合は、緊急な対応をとることができる。
更に、異常に対する係員の対応に客観性を持たせることもできる。
【００２５】
【発明の効果】
この発明は上記のとおり構成されているので、以下の効果を奏する。
請求項１に記載の設備異常通知方式によれば、設備異常のメッセージに着信音を添付してメールとして係員の携帯電話に送信し、係員の携帯電話がメールを受信したときに、添付された着信音を鳴動させるようにしたので、他のメールの着信とは峻別され、係員は異常の発生を携帯電話で容易に知得することができる、という効果を奏する。
【００２６】
請求項２に記載の設備異常通知方式によれば、異常を種類分けし、それぞれ異なる着信音を対応させたので、係員は異常の種別を容易に知得することができる、という効果を奏する。
また、異常の種類と着信音の種類とは、事前に対応付けられているので、その対応は客観性を有する。このため、異常に対する係員の対応を均質化することができる、という効果も併せて奏する。
【００２７】
請求項３に記載の設備異常通知方式によれば、設備をグループ分けし、グループによって異なる着信音コードを対応させたので、異常が発生した場合、設備によって異なる対応をとることができる、という効果を奏する。
【図面の簡単な説明】
【図１】この発明の実施の形態１における設備異常通知方式の構成を示すブロック図。
【図２】この発明の実施の形態１における異常メッセージファイル１４の内容を示す説明用図。
【図３】この発明の実施の形態１における着信音ファイル１５の内容を示す説明用図。
【図４】この発明の実施の形態１における異常対応着信音ファイル１６の内容を示す説明用図。
【図５】この発明の実施の形態１における監視データファイル１３の内容を示す説明用図。
【図６】この発明の実施の形態１における異常メッセージ送信フレーム３６を示す説明用図。
【図７】この発明の実施の形態１における監視装置３の動作を示す流れ図。
【図８】この発明の実施の形態１における携帯電話６の動作を示す流れ図。
【図９】この発明の実施の形態２における設備対応着信音ファイル４６の内容を示す説明用図。
【図１０】従来の設備異常通知方式の概念を示すブロック図。
【図１１】従来の設備異常通知方式における監視装置３の動作を示す流れ図。
【図１２】従来の設備異常通知方式における携帯電話６の動作を示す流れ図。
【符号の説明】
１  設備、  ２  センサ、  ３  監視装置、  ４  電話回線網、  ５  基地局、  ６  携帯電話、  １３  監視データファイル、  １４  異常メッセージファイル、  １５  着信音ファイル、  １６  異常対応着信音ファイル、  １９  信号線、  ２４  アンテナ、  ２８  スピーカ、  ３２  マイクロホン、  ３３  イヤホン、  ４６  設備対応着信音ファイル。
【図１】
2004153703.tif 000003
【図２】
2004153703.tif 000004
【図３】
2004153703.tif 000005
【図４】
2004153703.tif 000006
【図５】
2004153703.tif 000007
【図６】
2004153703.tif 000008
【図７】
2004153703.tif 000009
【図８】
2004153703.tif 000010
【図９】
2004153703.tif 000011
【図１０】
2004153703.tif 000012
【図１１】
2004153703.tif 000013
【図１２】
2004153703.tif 000014